【手続補正書】
【提出日】平成18年3月9日(2006.3.9)
【手続補正１】
【補正対象書類名】特許請求の範囲
【補正対象項目名】全文
【補正方法】変更
【補正の内容】
【特許請求の範囲】
【請求項１】
組織表面カバーであって：
環状の第一支持体と、
環状の第二支持体と、
第一支持体と第二支持体との間で固定された羊膜と、
を含んで成る組織表面カバー。
【請求項２】
第一支持体は眼球表面と接触するように立体形状化された内面を有した形状一致体であり、第二支持体は該形状一致体のエッジの溝にフィットするサイズで提供され、スナップ式着脱具で該形状一体体に取り付けられていることを特徴とする請求項１記載の組織表面カバー。
【請求項３】
形状一致体は眼球表面と瞼との間のスペースにフィットするように形状化されており、縫合せずに維持されることを特徴とする請求項２記載の組織表面カバー。
【請求項４】
形状一致体は瞼球癒着リングであり、支持体はＯリング、ポリメチルメタクリレートスカート片、シリコーン、ポリテトラフルオロエチレン、ポリウレタン、生分解物質、あるいはそれらの組合せから選択されることを特徴とする請求項２記載の組織表面カバー。
【請求項５】
第一支持体は第一グリップ表面を含み、第二支持体は第二グリップ表面を含んでいることを特徴とする請求項１記載の組織表面カバー。
【請求項６】
第一および第二グリップ表面が、いが、ファスナーポスト、ファスナーポスト孔の輪郭を示す領域からなる群から選択されるグリップ装置を含む、請求項５に記載の組織表面カバー。
【請求項７】
第一グリップ表面がファスナーポスト孔の輪郭を示す領域を含み、第二グリップ表面がファスナーポスト孔と空間的に整列したファスナーポストを含む、請求項５に記載の組織表面カバー。
【請求項８】
第一グリップ表面がファスナーポストを含み、第二グリップ表面がファスナーポストと空間的に整列したファスナーポスト孔の輪郭を示す領域を含む、請求項５に記載の組織表面カバー。
【請求項９】
第一または第二グリップ表面がファスナーポストを含み、膜がファスナーポストと空間的に整列したファスナーポスト孔の輪郭を示す領域を含み、膜が第一と第二グリップ表面との間に固定される、請求項５に記載の組織表面カバー。
【請求項１０】
以下を含む組織表面カバー：
ａ）外側環状エッジおよび外径を有する第一リング；
ｂ）第一リングを完全にカバーする膜、この膜は第一リングの外側環状エッジを覆って包まれており；
ｃ）内側環状エッジおよび内径を有する第二リング、この第二リングの内径は第一リングの外径を覆ってスナップ適合するサイズであり、これと同軸上に並べるために第一リングを覆って配置される；この膜は、組織表面カバーの組立て時に、第一リングを第二リングと固定してかみ合わせることによって第一リングと第二リングとの間に固定される。
【請求項１１】
膜が生体高分子膜である、請求項１０に記載の組織表面カバー。
【請求項１２】
膜が羊膜である、請求項１０に記載の組織表面カバー。
【請求項１３】
第一リングおよび第二リングが生分解性である、請求項１０に記載の組織表面カバー。
【請求項１４】
少なくとも一方のリングがさらに少なくとも１つの生理活性分子を含むポリマーを含む、請求項１０に記載の組織表面カバー。
【請求項１５】
膜、第一リング、第二リングがそれぞれ、眼の表面への配置用のサイズに合わせられている、請求項１０に記載の組織表面カバー。
【請求項１６】
膜、第一リング、第二リングがそれぞれ、真皮組織、消化管組織、呼吸管組織、生殖系組織、泌尿器系組織、循環系組織、骨組織からなる群から選択される組織表面への配置用のサイズに合わせらている、請求項１０に記載の組織表面カバー。
【請求項１７】
第一リングの外側環状エッジが第一グリップ表面を含み、かつ第二リングの内側環状エッジが第二グリップ表面を含む、請求項１０に記載の組織表面カバー。
【請求項１８】
以下を含む組織表面用羊膜カバー：
ａ）外径を有する支持体；
ｂ）支持体の少なくとも１つの表面に適用された接着組成物；
ｃ）接着組成物と接触した羊膜、この膜は支持体の外径より大きい直径を有する表面を持ち、組立て時に支持体を覆って内向きに折りたたまれ、これにより支持体は膜でカバーされ、そして接着組成物によって膜に固定される。
【請求項１９】
以下を含む組織表面用羊膜カバー：
ａ）外径を有する支持体；
ｂ）支持体の外径より大きい直径を有する表面を持つ羊膜；
ｃ）膜を支持体に固定するために膜の少なくとも１つの表面に適用された接着組成物、この膜は支持体を覆って内向きに折りたたまれ、組織表面用羊膜カバーの組立て時に支持体は接着組成物と接触し、膜によってカバーされる。
【請求項２０】
以下を含む組織表面用羊膜カバー：
ａ）外径を有する支持体；
ｂ）支持体の外径より大きい直径を有する表面を持ち、間質側を持つ羊膜；
ｃ）この支持体は膜の間質側の中央部分に配置され、この膜は組立て時に支持体を覆って内向きに折りたたまれ、この支持体は膜でカバーされ、折りたたまれた膜の間質側の部分はこの膜の間質側の別の部分と接着し、これにより支持体を適所で保持する。
【請求項２１】
炎症軽減、脈管形成軽減、傷治癒促進、傷跡低減、痛感軽減、潰瘍化角膜上皮欠損の治癒促進、水疱漏出治癒、角膜除去術、あるいはエクシマレーザー手術に起因する角膜混濁軽減、角膜補綴移植補助、バンド角膜症再発防止、傷口カバー、および手術での癒着防止に対して選択的に利用されることを特徴とする、請求項１、１０、１８、１９および２０のいずれかに記載の組織表面カバー。
【請求項２２】
組織表面用生体高分子カバーを製造する方法であって：
ａ）生体高分子膜を第一リングの表面と接触させる工程、この第一リングは外側環状エッジを有し、ならびに内側環状エッジを有する第二リングの内径内にスナップ適合するサイズの外径を有する；
ｂ）第一リング上に膜を配置し、これにより第一リングを膜で完全にカバーし、ならびに第一リングの外側環状エッジを覆って膜を包む工程；
ｃ）同軸上に並べるために第一リングを覆って、第二リングを配置する工程；
ｄ）第一リングを第二リングと固定してかみ合わせ、これにより第一リングと第二リングとの間に膜を固定し、組織表面用生体高分子カバーを製造する工程、
を含む方法。
【請求項２３】
生体高分子膜が羊膜である、請求項２２に記載の方法。
【請求項２４】
生体高分子膜が少なくとも１つの細胞を含む、請求項２２に記載の方法。
【請求項２５】
膜を第一リングの表面と接触させる前に、細胞を膜上で培養するか、あるいは細胞を膜と結合させる、請求項２４に記載の方法。
【請求項２６】
膜を第一リングと第二リングとの間に固定した後に、細胞を膜表上で培養するか、あるいは細胞を膜と結合させる、請求項２４に記載の方法。
【請求項２７】
細胞が遺伝子治療用にあらかじめ操作されている、請求項２４に記載の方法。
【請求項２８】
生体高分子膜、第一リング、第二リングがそれぞれ、眼の外側表面への配置用のサイズに合わせられる、請求項２２に記載の方法。
【請求項２９】
生体高分子膜、第一リング、第二リングがそれぞれ、真皮組織、消化管組織、呼吸管組織、生殖系組織、泌尿器系組織、循環系組織、骨組織からなる群から選択される組織表面への配置用のサイズに合わせられる、請求項２２に記載の方法。
【請求項３０】
穴の輪郭を示す内側表面を有し、Ｏリングを受けるサイズの少なくとも１つの環状溝を有するリングに膜を固定する方法であって：
ａ）固定用の膜をリングと接触させる工程；
ｂ）リング上に膜を配置し、これによりリングを膜で完全にカバーする工程；
ｃ）Ｏリングを環状溝内へ挿入し、これにより膜をリングに固定する工程
を含む方法。
【請求項３１】
外側周辺部の環状表面を有するＯリングと穴の輪郭を示す内側環状表面を有し、少なくとも１つの環状溝を有するリングとの間に膜を固定する方法であって：
ａ）固定用の膜をＯリングと接触させる工程；
ｂ）Ｏリング表面で膜を配置し、これによりＯリングを膜で完全にカバーする工程；
ｃ）Ｏリングの外側周辺部の環状表面を覆って膜を包み、包まれたＯリングを形成させる工程；
ｄ）包まれたＯリングを環状溝内へ挿入し、これによりＯリングとリングとの間に膜を固定する工程、
を含む方法。
【請求項３２】
第一かみ合いリングと第二かみ合いリングとの間に膜を固定する方法、第一かみ合いリングは多数の、間隔をとって配置されたファスナーポストを含む表面を含み、第二かみ合いリングは多数の、間隔をとって配置されたファスナーポスト孔の輪郭を示す表面を含み：
ａ）固定用の膜を第一リングの表面と接触させる工程；
ｂ）第一リング上に膜を配置し、これにより第一リングを膜で完全にカバーする工程；
ｃ）少なくとも１つの、間隔をとって配置されたファスナーポストが少なくとも１つの、間隔をとって配置されたファスナーポスト孔と整列するように第一リングに対して第二リングを配置する工程；
ｄ）第一リングを第二リングと固定してかみ合わせ、これにより第一リングと第二リングとの間に膜を固定する工程、
を含む方法。
【請求項３３】
周辺部環状表面、および内側環状表面、上面および底面を有し、少なくとも１つの表面がその上に少なくとも１つのカットスリットの輪郭を示すリングに膜を固定する方法であって：
ａ）固定用の膜をリングと接触させる工程；
ｂ）リングの上面または底面に膜を配置し、これによりリングを膜でカバーする工程；
ｃ）膜をカットスリット内へ挿入し、これにより膜をリングに固定する工程、
を含む方法。
【請求項３４】
組織表面用羊膜カバーを製造する方法であって：
ａ）外径を有する支持体の少なくとも１つの表面に接着組成物を適用する工程；
ｂ）支持体の表面上で接着組成物を羊膜と接触させる工程、この膜は支持体の外径より大きい直径を有する表面を持つ；
ｃ）膜上に支持体を配置し、支持体を覆って内向きに膜を折りたたむことを可能にする工程；
ｄ）支持体を覆って内向きに膜を折りたたみ、支持体を膜でカバーし、これにより組織表面用羊膜カバーを製造する工程、
を含む方法。
【請求項３５】
組織表面用羊膜カバーを製造する方法であって：
ａ）外径を有する支持体を羊膜の中央部分に接して配置する工程、この膜は支持体の外径より大きい直径を有する表面を持つ；
ｂ）支持体の外径を超えて外側に広がった羊膜の表面の部分に接着組成物を適用する工程；
ｃ）支持体を覆って内向きに羊膜を折りたたみ、その支持体を羊膜でカバーし、これにより組織表面用羊膜カバーを製造する工程
を含む方法。
【請求項３６】
請求項３５に記載の方法であって：
ａ）第二羊膜の中央部分に組織表面用羊膜カバーを配置する工程、この第二羊膜は当該羊膜カバーの外径より大きい直径を有する表面を持つ；
ｂ）当該羊膜カバーの外径を超えて広がった第二羊膜の表面の部分に接着組成物を適用する工程；
ｃ）第二羊膜を、当該羊膜カバーを覆って内向きに折りたたみ、当該羊膜カバーを第二羊膜がカバーし、これにより組織表面用二重層羊膜カバーを製造する工程、をさらに含む方法。
【請求項３７】
組織表面用羊膜カバーを製造する方法であって：
ａ）外径を有する支持体を、羊膜の間質側の中央部分に配置する工程、この膜は支持体の外径より大きい直径の表面を有する；
ｂ）支持体を覆って内向きに羊膜を折りたたみ、支持体を羊膜でカバーし、カバーされた支持体を形成する工程；
ｃ）折りたたまれた膜の間質側の部分を膜の間質側の別の部分と接着させ、これによりカバーされた支持体を適所で保持し、そして組織表面用羊膜カバーを製造する工程、
を含む方法。
【請求項３８】
先端部、底部、その先端部から底部へ向かって増加する直径の外側表面を有する円錐形エキスパンダの先端部上に配置された放射状弾性バンドを摩擦によりかみ合わせ、このバンドを、エキスパンダの先端部からエキスパンダの外側表面にわたってエキスパンダの底部への方向へ押し進め、これによりバンドを伸ばし、そして放射状に拡張した状態を形成させるための装置であって：
長軸方向に伸長した、近位端部分および遠位端部分を有する套管を含み、この套管は自身を通って近位端部分から遠位端部分へ長軸方向に伸長する穴の輪郭を示し、エキスパンダの先端部を覆って同軸上に適合し、遠位端部分で放射状に拡張可能である、装置。
【請求項３９】
以下を含む培養挿入物：
穴の輪郭を示す内側表面を有し、かつＯリングを受けるサイズの少なくとも１つの環状溝を有するリング；
リングにマウントされた膜、この膜はリングを完全にカバーし；
組立て時にリングに膜を固定する環状溝に挿入されたＯリング。
【請求項４０】
以下を含む培養挿入物：
穴の輪郭を示す内側表面および外側周辺部の環状表面を有するＯリング；
Ｏリングにマウントされた膜、この膜はＯリングを完全にカバーし、その外側周辺部の環状表面を覆って包み、包まれたＯリングを形成させる；
穴の輪郭を示す内側環状表面を有し、包まれたＯリングを受けるサイズの少なくとも１つの環状溝を有するリング；
包まれたＯリングは、環状溝内に配置され、組み立て時にＯリングとリングとの間で膜を固定する。
【請求項４１】
膜を培養挿入物に固定する方法であって：
ａ）膜を培養挿入物と接触させる工程；
ｂ）培養挿入物上に膜を配置し、これにより培養挿入物を膜で完全にカバーする工程；
ｃ）円錐形エキスパンダの先端部上に放射状弾性バンドを配置する工程、このエキスパンダは、先端部、底部、およびその先端部から底部へ向かって増加する直径を有する外側表面を有し、この底部は肩部を有する；
ｄ）バンドを受けるための周辺部環状溝を有するリングとエキスパンダの底部を接触させて配置する工程；
ｅ）バンドを、エキスパンダの先端部からエキスパンダの外側表面を越えてエキスパンダの底部の肩部への方向へ押し進め、これによりバンドを伸ばし、放射状に拡張した状態を形成させる工程；
ｆ）バンドを、エキスパンダの肩部を越えて、リングの周辺部環状溝内へ押し進め、これによりバンドをエキスパンダから制御して解放し、バンドをリングに結合させる工程；
ｇ）自身に結合したバンドを有するリングを挿入物上の膜と接触させる工程；
ｈ）バンドをリングから制御して解放し、バンドをリングから挿入物へ移し、これによりバンドを膜上に固定し、そして膜を挿入物に固定する工程、
を含む方法。